(57)【要約】      （修正有）【課題】例えば微細藻類などの光合成生物を栽培する手間が掛らず、光りむらがなく効率的に育成することができる栽培装置を提供する。【解決手段】光合成生物２を入れた栽培袋１を支持固定するように設けられた支持ユニット４と、栽培袋１に向けて光を照らすように支持ユニット４に設けられている照明ユニット５と、支持ユニット４に対して上下動可能に設けられ、栽培袋１が支持ユニット４に固定定位されるための固定ユニット６であって、栽培袋１を互いに所定の間隔をおいて配置するように支持ユニット４に固定定位する第１の固定部材６３を有する固定ユニット６とを備えている。【選択図】図３
0003183698.tif 000002
【実用新案登録請求の範囲】
【請求項１】
光合成生物を入れた栽培袋を支持するように載せ、光に当てて栽培する栽培装置であって、
前記栽培袋を支持固定するように設けられた支持ユニットと、
前記栽培袋に向けて光を照らすように前記支持ユニットに設けられている照明ユニットと、
前記支持ユニットに対して上下動可能に設けられ、前記栽培袋を前記支持ユニットに固定定位するための固定ユニットであって、前記栽培袋を互いに所定の間隔をおいて配置するように前記支持ユニットに固定定位する第１の固定部材を有する固定ユニットとを備えていることを特徴とする栽培装置。
【請求項２】
前記固定ユニットは更に、
前記支持ユニットに対して上下動可能に設けられた２つの昇降部材と、
前記支持ユニットと前記昇降部材とに連結されて前記昇降部材が前記支持ユニットに対して上下動不能に留められるように取り付けられた留め部材とを有することを特徴とする請求項１に記載の栽培装置。
【請求項３】
前記第１の固定部材は、環状体に形成されていることを特徴とする請求項１又は２に記載の栽培装置。
【請求項４】
前記照明ユニットは、所定の間隔をおいて設けられている複数の照明部材を有し、
前記支持ユニットは、その両側に前記固定ユニットが上下動可能に支持されるように設けられた２つの支持フレームと、前記照明部材が装着されるように２つの前記支持フレームの間に連結されて設けられた取付フレームとを有することを特徴とする請求項１〜３のいずれかの一項に記載の栽培装置。
【請求項５】
前記取付フレームには、前記第１の固定部材に対応してその上下動する方向である軸方向と同軸に設けられた第２の固定部材を有することを特徴とする請求項４に記載の栽培装置。
【請求項６】
更に、前記栽培袋を搭載支持するためのベースを有し、
前記支持ユニットは、前記ベースの前記栽培袋を搭載する側に設けられ、
前記ベースの前記栽培袋を搭載する側と反対の側にはキャスターが取り付けられていることを特徴とする請求項１〜５のいずれかの一項に記載の栽培装置。
【考案の詳細な説明】
【技術分野】
【０００１】
本考案は、栽培装置に関し、より詳しくは、光合成を行う微細藻類などの光合成生物に光を当てて育成するための栽培装置に関する。
【背景技術】
【０００２】
最近、微細藻類などの光合成生物は、太陽光とＣＯ２から光合成を利用して種々の有用物質を生産することができるので環境浄化等の分野に応用できる微生物の１つとして注目されている。また微細藻類は高い脂質蓄積能や多様な炭化水素、糖類等の生産能力を有し、バイオ燃料ともなる有用物質を生産することができるものとして知られつつある。
【０００３】
微細藻類などの光合成生物を収容する容器としては、例えばポリエチレン（ＰＥ）、ポリプロピレン（ＰＰ）などを用いてつくられた透光性のある栽培袋が知られている。栽培袋内に何種類かの微細藻類を投入して太陽光を照らすことで、光合成を促進させることにより、微細藻類の培養を行う栽培方法が用いられている。
【考案の概要】
【考案が解決しようとする課題】
【０００４】
上記栽培方法では、栽培袋はその構造が簡単で、製造しやすいので、その容量を簡単に増大することができるが、栽培袋は軟質材料で作られているので、栽培装置に安定して載せることができず、また、自然光による照度むらが生じ、栽培物の生育が不安定になることから、効率的に栽培することができない問題点がある。
【０００５】
本考案は、上記問題点に鑑みてなされたものであり、光合成生物を栽培する手間が掛らず、光りむらがなく効率的に育成することができる栽培装置を提供することを目的とする。
【課題を解決するための手段】
【０００６】
上記目的を達成するために、本考案は、光合成生物を入れた栽培袋を支持するように載せ、光に当てて栽培する栽培装置であって、前記栽培袋を支持固定するように設けられた支持ユニットと、前記栽培袋に向けて光を照らすように前記支持ユニットに設けられている照明ユニットと、前記支持ユニットに対して上下動可能に設けられ、前記栽培袋を前記支持ユニットに固定定位するための固定ユニットであって、前記栽培袋を互いに所定の間隔をおいて配置するように前記支持ユニットに固定定位する第１の固定部材を有する固定ユニットとを備えていることを特徴とする栽培装置を提供する。
【考案の効果】
【０００７】
本考案に係る栽培装置によれば、栽培袋の大きさに応じて、栽培袋が光に多く照らされるように、固定ユニットが上下動し、支持ユニットに対する高さを調節することができる。従って、例えば光合成生物を入れた栽培袋を搭載支持したとき、栽培袋により多く光を照らすことができ、効率的に光合成を促進することができる。
【図面の簡単な説明】
【０００８】
【図１】本考案に係る栽培装置を示す側面図である。
【図２】図１の上面図である。
【図３】光合成生物の入った栽培袋を載置した栽培装置の側面図である。
【考案を実施するための形態】
【０００９】
以下に、本考案に係る栽培装置の一つの実施の形態を図面に基づいて説明する。なお、この実施例により本考案が限定されるものではない。
【実施例】
【００１０】
図１は、本考案に係る栽培装置の一実施例を示す側面図、図２は、図１の上面図、図３は、光合成生物の入った栽培袋を載せた栽培装置の側面図である。本考案に係る栽培装置１０は、例えば光合成生物２が投入されて収容された栽培袋を載せて光に当てるように支持固定し光合成生物を育成するものである。この例において図示された栽培袋１は、例えばポリエチレンやポリプロピレンなどの軟質材料により長く延伸されるように製造されたものであり、栽培装置１０に直立して搭載される。栽培袋１は長いので、その受光面積を大きくすることができる。従って栽培袋１内に入れた光合成生物に光をより多く照らすことができ、効率的に光合成生物を育成することができる。
【００１１】
本考案に係る栽培装置１０は、栽培袋１を搭載支持するようにベース３と、支持ユニット４と、固定ユニット６と、照明ユニット５とを備えてなるものである。
【００１２】
ベース３は、光合成生物を投入した栽培袋１を搭載支持するよう、例えば地面に対して水平に移動することができるように、例えば複数のフレームで枠体３２に構成されており、枠体３２の地面側の両側にクランク３１１を介してキャスター３１が取り付けられている。なお、栽培装置１０はその移動性を高めるためにキャスター３１が取り付けられているが、手動で運搬してもよい。
【００１３】
支持ユニット４は、ベース３に載置された栽培袋１を支えて保持するようにベース３上に直立して設けられたものであり、この例では、ベース３の両側に水平方向と垂直に立てられて設けられており、側面視で三角形状や方形状等の枠体に組み立てられてなった複数の支持フレーム４１、４１、・・・と、照明ユニット５を装着するように支持フレーム４１に対して直角に且つ水平方向に延伸されるように支持フレーム４１の間に架設されている取付フレーム４２とを有する。
【００１４】
固定ユニット６は、両側の支持フレーム４１に対してそれぞれ上下動可能に設けられた昇降部材である昇降フレーム６１、６１と、取付フレーム４２の上方にあるように両側の昇降フレーム６１の上端部と連結され、支持フレーム４１の間に支持フレーム４１に対して直角に且つ水平方向に延伸されるように架設されている固定フレーム６２と、複数の栽培袋１のそれぞれを装着するように固定フレーム６２に所定の間隔をおいて並べて設けられた第１の固定部材６３と、昇降フレーム６１の支持フレーム４１側の下端部を支持フレーム４１に対して所定の高さに定位可能に固定する留め部材６４と、を有する。
【００１５】
なお、支持フレーム４１は、例えば中空状のパイプであり、保持安定性を高めるために枠体形状に構成されている。また、昇降フレーム６１は、例えば、対応する支持フレーム４１の中に上下動可能に収納された中空状のパイプなどである。留め部材６４は、支持フレーム４１から昇降フレーム６１に貫通して設けられている例えばピン状のものであり、支持フレーム４１と昇降フレーム６１とを貫いて昇降フレーム６１が対応する支持フレーム４１に対して所定の高さに定位保持されることができる。支持フレーム４１及び昇降フレーム６１には、それぞれに留め部材６４が貫通可能に、互いに対応すると共に対応するフレームの内外に空間的に連通する定位孔（図示せず）が設けられている。
【００１６】
第１の固定部材６３としては、栽培袋１を装着して定位するためのものであり、この例では、栽培袋１を収容拘束する環状の中空状筒体が用いられ、この筒体による栽培袋１の保持性を高めるため筒体を括るようにその外周面に補強輪６３１が取付られている。なお、第１の固定部材６３は、例えばボルト６３２などを用いて固定フレーム６２に螺結されている。
【００１７】
この例では、取付フレーム４２は、照明ユニット５を取り付けるよう照明ユニット５の配線を装着するために枠状に構成され、また、第１の固定部材６３と合わせて栽培袋１を装着して定位する第２の固定部材４２１が第１の固定部材６３と同軸に形成された筒体を用いて設けられている。
【００１８】
なお、この例において、第１の固定部材６３と第２の固定部材４２１とは、輪状の筒体部材を用いたが、括られた栽培袋１を引っ掛けるフックなどを用いてもよい。
【００１９】
照明ユニット５は、複数の長い蛍光灯５１、５１、・・・が互いに所定の間隔をおいて水平方向に例えば一列に並ぶように且つ装着ベース３に直立して設けられるように取付フレーム４２に取り付けられている。
【００２０】
次に、上記のように構成された栽培装置の作用及び効果については図面を参照して説明する。
【００２１】
光合成生物２を海洋深層水などと共に栽培袋１に投入し、栽培袋１の大きさ又は光合成生物２の投入量により、昇降フレーム６１の支持フレーム４１に対する高さを調節し、栽培袋１をベース３の上に直立させることが可能な所定の高さに調節した上で、留め部材６４で固定定位する。これによって、栽培袋１は、第１の固定部材６３と第２の固定部材４２１とによって直立して装着されることができる。
【００２２】
ベース３に光合成生物２を入れた栽培袋１を載せて、キャスター３１が取り付けられた栽培装置１０を室外に移動させると、栽培袋１に自然光を照らすことができる。一方、室外が暗いときは、照明ユニット５によって補強照明を行うことができる。このように、光合成生物を効率的に栽培することができる。
【００２３】
以上により、本考案に係る栽培装置によれば、光合成生物２を入れた栽培袋１を搭載したとき、昇降フレーム６１を上下動させて支持フレーム４１に対する高さを調節することができるので、栽培袋１により多くの光を照らすことができ、効率的に光合成を促進することができる。また、照明ユニット５によって自然光の不足を補強することができる。また、栽培装置にはキャスター３１が取り付けられているので、栽培袋１の運搬に便利で使い勝手がよい。また、第１の固定部材６３と第２の固定部材４２１とによって、栽培袋１が直立して装着され、栽培袋１が安定して搭載されることができる。
【産業上の利用可能性】
【００２４】
本考案に係る栽培装置は、光合成生物の栽培に有用である。
【符号の説明】
【００２５】
１  栽培袋
２  光合成生物
１０  栽培装置
３  ベース
３１  キャスター
３１１  クランク
３２  枠体
４  支持ユニット
４１  支持フレーム
４２  取付フレーム
４２１  第２の固定部材
５  照明ユニット
５１  蛍光灯
６  固定ユニット
６１  昇降フレーム
６２  固定フレーム
６３  第１の固定部材
６３１  補強輪
６３２  ボルト
６４  留め部材
【図１】
0003183698.tif 000003
【図２】
0003183698.tif 000004
【図３】
0003183698.tif 000005